(57)【特許請求の範囲】
【請求項１】
第１ジョブに従って第１画像データを出力する出力手段と、
前記第１ジョブの完了後であっても前記第１画像データを保持する保持手段と、
前記第１ジョブに従った出力が完了すると、前記第１ジョブの完了を通知するデータと、前記第１画像データを送信することなく前記第１画像データの再出力の指示をさせるためのデータとを前記第１ジョブを指示した情報処理装置に対して送信する送信手段とを備える、画像形成装置。
【請求項２】
前記第１画像データの再出力の指示を入力する指示入力手段をさらに備え、
前記出力手段は、前記指示に応じて、前記保持手段によって保持された前記第１画像データを再出力する、請求項１に記載の画像形成装置。
【請求項３】
前記出力手段は、前記指示を受けたときに第２画像データを出力する処理を実行していた場合は、前記第２画像データを出力する処理に割込んで前記第１画像データを再出力するための処理を実行する、請求項２に記載の画像形成装置。
【請求項４】
前記出力手段は、前記指示を受けたときに第２画像データを出力する処理を実行していた場合は、前記第２画像データを出力する処理の終了後に前記第１画像データを再出力するための処理を実行する、請求項２に記載の画像形成装置。
【請求項５】
前記出力手段は、前記指示を受けたときに実行すべき処理として第２画像データを出力する処理が待機していた場合は、前記第２画像データを出力する処理の終了後に前記第１画像データを再出力するための処理を実行する、請求項２に記載の画像形成装置。
【請求項６】
前記指示入力手段は、前記再出力の指示と共に、前記第１画像データを再出力するための処理を実行するタイミングの指示も入力する、請求項２に記載の画像形成装置。
【請求項７】
前記指示入力手段は、当該画像形成装置に備えられる操作手段である、請求項２に記載の画像形成装置。
【請求項８】
前記保持手段は前記第１画像データを前記出力を指示したユーザに関する情報と共に保持し、
前記操作手段によって入力されるログイン情報に基づいてユーザ認証を行なう認証手段と、
前記保持手段によって、認証されたユーザに関する情報と共に保持されている画像データの一覧および／または前記一覧を提示させ、前記画像データの再出力を指示するための指示手段を提示する提示手段とをさらに備える、請求項７に記載の画像形成装置。
【請求項９】
一定期間経過後、前記保持手段に保持されている前記第１画像データを削除する管理手段をさらに備える、請求項１に記載の画像形成装置。
【請求項１０】
前記保持手段は、前記第１画像データを出力した後に第２画像データを出力する処理を実行した後も、前記第１画像データを保持する、請求項１に記載の画像形成装置。
【請求項１１】
前記保持手段は、前記第１画像データに識別情報を付与し、
前記送信手段は、前記識別情報も通知し、
前記情報処理装置から前記識別情報を用いた前記第１画像データの再出力の指示を受信する受信手段をさらに備えて、
前記出力手段は、前記受信手段で受信した前記指示に含まれる前記識別情報に対応する前記第１画像データを再出力する、請求項１に記載の画像形成装置。
【請求項１２】
前記送信手段は、再出力時に設定可能な出力条件も前記情報処理装置に対して送信する、請求項１に記載の画像形成装置。
【請求項１３】
情報処理装置から受信した第１画像データを第１ジョブに従って出力する出力手段と、
前記第１ジョブに従った出力が完了すると、前記出力の完了を前記第１画像データの送信元である前記情報処理装置へと通知する送信手段と、
前記出力後においても前記第１画像データを保持する保持手段と、
前記出力後に受け付けた操作に応じて、前記保持手段に保持された前記第１画像データの再出力の指示するための画面を表示する表示手段と、
前記第１画像データの再出力を指示する操作手段とを備える、画像形成装置。
【請求項１４】
前記操作手段によって入力されるログイン情報に基づいてユーザ認証を行なう認証手段をさらに備え、
前記表示手段は、前記ユーザ認証後に前記画面を表示する、請求項１３に記載の画像形成装置。
【請求項１５】
前記保持手段は前記出力手段により出力が完了した画像データとして前記第１画像データと第２画像データとを保持する場合、前記表示手段は、前記画面において前記第１画像データと前記第２画像データとをリスト表示する、請求項１３に記載の画像形成装置。
【請求項１６】
ジョブに従って画像データを出力した画像形成装置より、前記ジョブの完了を通知するデータと、前記第１画像データを受信することなく前記画像データの再出力の指示をさせるためのデータとを受信する受信手段と、
前記受信手段で受信した前記データを画面表示する表示手段と、
前記画面より、前記画像データの再出力を前記画像形成装置に対して指示する指示手段とを備える情報処理装置。
【請求項１７】
前記指示手段は、前記画像データの再出力の出力条件として、前記画像データの前記出力の際の出力条件とは異なる出力条件を指示する、請求項１６に記載の情報処理装置。
【請求項１８】
前記指示手段は、前記再出力と共に、前記画像形成装置に対して前記画像データを再出力するための処理を実行するタイミングも指示する、請求項１６に記載の情報処理装置。
【請求項１９】
前記受信手段は、前記画像形成装置から再出力時に設定可能な出力条件に関する情報を受信し、
前記情報を提示する提示手段をさらに備え、
前記指示手段は、提示された前記情報に基づいて前記画像データの再出力時の出力条件を指示する、請求項１６に記載の情報処理装置。
【請求項２０】
画像処理をコンピュータに実行させるプログラムであって、
ジョブに従って画像データを出力するステップと、
前記ジョブの完了後であっても前記画像データを保持するための処理を行なうステップと、
前記ジョブに従った出力が完了すると、前記ジョブの完了を通知するデータと、前記第１画像データを送信することなく前記画像データの再出力の指示をさせるためのデータとを前記第１ジョブを指示した情報処理装置に対して送信するステップと、
前記画像データの再出力の指示を入力するステップと、
前記画像データの再出力の指示が入力されると、保持された前記画像データを再出力するステップとを実行させる、画像処理プログラム。
【請求項２１】
画像形成装置においてジョブに従って画像データを出力するステップと、
前記ジョブに従った出力が完了すると、前記画像形成装置より前記画像データの出力を指示した情報処理装置に対して、前記ジョブの完了を通知するデータと、前記第１画像データを送信することなく前記画像データの再出力の指示をさせるためのデータとを送信するステップと、
前記画像形成装置において前記ジョブの完了後であっても前記画像データを保持手段に格納するステップと、
前記ジョブの完了を通知するデータと前記画像データの再出力の指示をさせるためのデータとを表示する画面にしたがって、前記情報処理装置より前記画像形成装置に対して前記画像データの再出力を指示するステップと、
前記画像形成装置において、前記指示に従って前記画像データを再出力するステップとを備える、画像処理方法。
【発明の詳細な説明】
【技術分野】
【０００１】
この発明は画像形成装置、情報処理装置、画像処理プログラム、および画像処理方法に関し、特に、再出力のための操作性の高い画像形成装置、情報処理装置、画像処理プログラム、および画像処理方法に関する。
【背景技術】
【０００２】
ネットワーク環境でプリンタ等の画像形成装置を利用する場合、画像形成装置に接続された情報処理装置で画像形成装置を操作するためのアプリケーションを起動する。そのようにしてたとえば画像形成装置で印刷を実行した後に、印刷の追加や、印刷設定の変更などその印刷に関する追加の操作が必要になった場合、再度アプリケーションを開いて操作を行なう必要があった。
【０００３】
以下の特許文献１では、印刷前（すなわちジョブがキューイング状態であるとき）や印刷中に追加の操作が必要になった場合、所定の操作によって印刷動作を中断し、自装置での操作によって条件を変更して、その印刷を変更後の条件で最初から実行する画像記録装置が提案されている。
【０００４】
また、印刷後に条件を変更する方法として、ジョブを印刷すると同時にいわゆるボックスと言われる専用の記憶領域に保存することで、その後ボックスを開いて該当するジョブを選択して設定を変更し、再度印刷する方法も提案されている。
【特許文献１】特開２００２−２３６５７５号公報
【発明の開示】
【発明が解決しようとする課題】
【０００５】
しかしながら、いったん画像形成装置に操作を行なった後に操作を行なうため再度アプリケーションを開く操作は、ユーザにとっては煩雑で面倒なものであるという問題があった。
【０００６】
また、引用文献１に提案されている画像記録装置においては、印刷前や印刷中であればその条件を変更可能であるが、一般的に印刷の追加や印刷設定の変更などは印刷物を確認した後に必要になることが多いにも関わらず印刷完了後には設定を変更できないという問題があった。
【０００７】
さらに、ジョブを印刷すると同時にボックスに保存する場合であっても、印刷後に追加の操作を行なう場合にはボックスを開くための操作が必要になり、ユーザにとっては煩雑で面倒なものであるという問題があった。
【０００８】
本発明はこのような問題に鑑みてなされたものであって、画像形成装置に操作を行なった後に、その画像データに対する追加の操作が必要になった場合に、簡単な操作で追加の操作を行なうことができる画像形成装置、情報処理装置、画像形成プログラム、および画像処理方法を提供することを目的とする。
【課題を解決するための手段】
【０００９】
上記目的を達成するために、本発明のある局面に従うと、画像形成装置は、第１ジョブに従って第１画像データを出力する出力手段と、第１ジョブの完了後であっても第１画像データを保持する保持手段と、第１ジョブに従った出力が完了すると、第１画像データを送信することなく、第１ジョブの完了を通知するデータと第１画像データの再出力の指示をさせるためのデータとを第１ジョブを指示した情報処理装置に対して送信する送信手段とを備える。
【００１０】
また、画像形成装置は、第１画像データの再出力の指示を入力する指示入力手段をさらに備え、出力手段は、上記指示に応じて、保持手段によって保持された第１画像データを再出力することが好ましい。
【００１１】
より詳しくは、出力手段は、上記指示を受けたときに第２画像データを出力する処理を実行していた場合は、第２画像データを出力する処理に割込んで第１画像データを再出力するための処理を実行することが好ましい。
【００１２】
または、出力手段は、上記指示を受けたときに第２画像データを出力する処理を実行していた場合は、第２画像データを出力する処理の終了後に第１画像データを再出力するための処理を実行することが好ましい。
【００１３】
または、出力手段は、上記指示を受けたときに実行すべき処理として第２画像データを出力する処理が待機していた場合は、第２画像データを出力する処理の終了後に第１画像データを再出力するための処理を実行することが好ましい。
【００１４】
なお、上記指示入力手段は、当該画像形成装置に備えられる操作手段であることが好ましい。
【００１５】
さらに、保持手段は第１画像データをその出力を指示したユーザに関する情報と共に保持し、操作手段によって入力されるログイン情報に基づいてユーザ認証を行なう認証手段と、保持手段によって、認証されたユーザに関する情報と共に保持されている画像データの一覧および／または一覧を提示させ、画像データの再出力を指示するための指示手段を提示する提示手段とをさらに備えることがより好ましい。
【００１６】
さらに、画像形成装置は、一定期間経過後、保持手段に保持されている第１画像データを削除する管理手段を備えることが好ましい。
【００１７】
また、保持手段は、第１画像データを出力した後に第２画像データを出力する処理を実行した後も、第１画像データを保持することが好ましい。
【００１８】
また、保持手段は、第１画像データに識別情報を付与し、送信手段は、その識別情報も通知し、情報処理装置から識別情報を用いた第１画像データの再出力の指示を受信する受信手段をさらに備えて、出力手段は、受信手段で受信した指示に含まれる識別情報に対応する第１画像データを再出力することが好ましい。
【００１９】
また、送信手段は、再出力時に設定可能な出力条件も情報処理装置に対して送信することが好ましい。
【００２０】
本発明の他の局面に従うと、画像形成装置は、情報処理装置から受信した第１画像データを第１ジョブに従って出力する出力手段と、第１ジョブに従った出力が完了すると、その出力の完了を第１画像データの送信元である情報処理装置へと通知する送信手段と、上記出力後においても第１画像データを保持する保持手段と、上記出力後に受け付けた操作に応じて、保持手段に保持された第１画像データの再出力の指示するための画面を表示する表示手段と、記第１画像データの再出力を指示する操作手段とを備える。
【００２１】
さらに、画像形成装置は、操作手段によって入力されるログイン情報に基づいてユーザ認証を行なう認証手段を備え、表示手段は、ユーザ認証後に上記画面を表示することが好ましい。
【００２２】
また、保持手段は出力手段により出力が完了した画像データとして上記第１画像データと上記第２画像データとを保持する場合、表示手段は、上記画面において第１画像データと第２画像データとをリスト表示することが好ましい。
【００２３】
本発明の他の局面に従うと、情報処理装置は、ジョブに従って画像データを出力した画像形成装置より、ジョブの完了を通知するデータと、第１画像データを受信することなくその画像データの再出力の指示をさせるためのデータとを受信する受信手段と、受信手段で受信したデータを画面表示する表示手段と、その画面より、上記画像データの再出力を画像形成装置に対して指示する指示手段とを備える。
【００２４】
具体的に、指示手段は、画像データの再出力の出力条件として、その画像データの上記出力の際の出力条件とは異なる出力条件を指示することが好ましい。
【００２５】
また、指示手段は、再出力と共に、画像形成装置に対して画像データを再出力するための処理を実行するタイミングも指示することが好ましい。
【００２６】
また、受信手段は、画像形成装置から再出力時に設定可能な出力条件に関する情報を受信し、画像処理装置は上記情報を提示する提示手段をさらに備えて、指示手段は、提示されたその情報に基づいてその画像データの再出力時の出力条件を指示することが好ましい。
【００２７】
本発明のさらに他の局面に従うと、画像処理プログラムは、画像処理をコンピュータに実行させるプログラムであって、ジョブに従って画像データを出力するステップと、上記ジョブの完了後であっても上記画像データを保持するための処理を行なうステップと、上記ジョブに従った出力が完了すると、上記ジョブの完了を通知するデータと、第１画像データを送信することなく上記画像データの再出力の指示をさせるためのデータとを第１ジョブを指示した情報処理装置に対して送信するステップと、その画像データの再出力の指示を入力するステップと、画像データの再出力の指示が入力されると、保持された上記画像データを再出力するステップとを実行させる。
【００２８】
本発明のさらに他の局面に従うと、画像処理方法は、画像形成装置においてジョブに従って画像データを出力するステップと、上記ジョブに従った出力が完了すると、画像形成装置より画像データの出力を指示した情報処理装置に対して、上記ジョブの完了を通知するデータと、第１画像データを送信することなく上記画像データの再出力の指示をさせるためのデータとを送信するステップと、画像形成装置においてその画像データを保持手段に格納するステップと、上記ジョブの完了を通知するデータと上記画像データの再出力の指示をさせるためのデータとを表示する画面にしたがって、情報処理装置より画像形成装置に対して画像データの再出力を指示するステップと、画像形成装置において、上記指示に従って上記画像データを再出力するステップとを備える。
【発明の効果】
【００２９】
本発明にかかる画像形成装置が上記構成であることによって、ある画像データに対してジョブに従って出力処理が実行され、ジョブが完了した後、接続された情報処理装置または当該画像形成装置において、その画像データに対する再処理を簡単な操作で指示することができる。
【００３０】
また、本発明にかかる情報処理装置が上記構成であることによって、接続された画像形成装置から画像データの出力完了が通知された後に、その画像データに対する再処理を簡単な操作で指示することができる。
【発明を実施するための最良の形態】
【００３１】
以下に、図面を参照しつつ、本発明の実施の形態について説明する。以下の説明では、同一の部品および構成要素には同一の符号を付してある。それらの名称および機能も同じである。
【００３２】
図１は、本実施の形態にかかる画像形成システムの構成の具体例を示す図である。
図１を参照して、本実施の形態にかかる画像形成システムは、画像形成装置１と、ユーザパーソナルコンピュータ（以下、ＰＣとする）５とを含んで構成され、それらの機器が有線または無線のネットワーク７を介して接続されている。
【００３３】
画像形成装置１としては、コピー機、プリンタ、またはそれらの複合機器であるＭＦＰ（Multi Function Peripheral）等が該当する。本実施の形態において画像形成装置１はＭＦＰであるものとし、図２に、ＭＦＰである画像形成装置１のハードウェア構成の具体例をブロック図で示す。
【００３４】
図２を参照して、画像形成装置１は、装置全体を制御するＣＰＵ（Central Processing Unit）１１と、原稿から画像データを読取るイメージリーダ部１９と、用紙上に画像を印刷するプリンタ部２１と、図示されない拡張スロットに挿入し、画像形成装置１をネットワーク７や電話回線に接続したり、近距離の無線通信を行なったりするための拡張カードであるＮＩＣ（Network Interface Card）１５と、ＨＤ（Hard Disc）やＲＡＭ（Random Access Memory）などから構成されて、ジョブやＣＰＵ１１で実行されるプログラムなどを記憶するための記憶部１３と、ユーザとのインタフェースであるパネル１７と、消耗品の残量などを検出するセンサ部２３とを含んで構成される。
【００３５】
図３は、画像形成装置１において、本実施の形態にかかる再操作処理を行なうための機能構成の具体例を示すブロック図である。図３に示される機能構成は、主に、ＣＰＵ１１が記憶部１３に記憶されるプログラムを実行することでＣＰＵ１１に形成される機能であるが、一部が図２に示される他のハードウェア構成によって形成されてもよい。
【００３６】
図３を参照して、画像形成装置１において再操作処理を行なうための機能は、ユーザからの指示を入力する指示入力部１０１と、画像形成装置１におけるジョブを管理するジョブ管理部１０３と、ジョブを保存するジョブ保存部１０５と、ジョブ実行の完了を通知する完了通知部１０７とを含んで構成される。
【００３７】
指示入力部１０１は、ネットワーク７を介してユーザＰＣ５から送信された指示や、パネル１７の操作による指示を受取り、ジョブ管理部１０３に入力する。
【００３８】
ジョブ管理部１０３は、プリンタ部２１での印刷やＮＩＣ１５を介した画像データの送信にかかるジョブを管理する。具体的には、ジョブを特定するための保存用のＩＤをジョブに付与してジョブ保存部１０５に一定期間保存する。また、ジョブに対応した機能での動作完了を受けて、完了通知部１０７にジョブの完了を通知すると共に、上記ＩＤを通知する。さらに、指示入力部１０１から入力された指示に応じてジョブ保存部１０５から該当するジョブを取出し、プリンタ部２１など指示に応じた機能に出力する。また、必要に応じて取出したジョブに対して処理を行なう。
【００３９】
ジョブ保存部１０５は記憶部１３の所定領域が該当する。また、画像形成システムに含まれる（図示されない）サーバ等で構成されてもよい。さらに、ジョブ保存部１０５はＲＡＭ等の揮発性（メモリ）の記憶領域であることが好ましい。このようにすることで、その記憶領域を含む画像形成装置１等の電源がオフされた際にそのジョブが破棄されるので、ジョブの機密性を向上させることができる。また、ジョブ保存部１０５に該当する記憶領域は、所定操作や認証された所定のユーザや所定のユーザによる所定の操作によってアクセスが可能となる領域であることが好ましい。このようにすることでも、ジョブの機密性を向上させることができる。
【００４０】
完了通知部１０７はジョブ管理部１０３からの通知を受けて、プリンタ部２１での印刷動作の完了などと共に上記ＩＤをそのジョブを指示したユーザＰＣ５や予め指定されている装置などに通知する。上記指示入力部１０１は、この通知に従った指示を受付ける。
【００４１】
ユーザＰＣ５としてはパーソナルコンピュータ等が該当し、図４に、一般的なパーソナルコンピュータ等で実現されるユーザＰＣ５のハードウェア構成の具体例をブロック図で示す。
【００４２】
図４を参照して、ユーザＰＣ５は、装置全体を制御するＣＰＵ５１と、ディスプレイ５５と、ネットワーク７に接続したり外部と通信を行なったりするためのＬＡＮカード５７（またはモデムカード）と、キーボードやマウスなどにより構成される入力装置５９と、フレキシブルディスクドライブ（ＦＤＤ：Flexible Disk Drive）６１と、ＣＤ−ＲＯＭ（Compact Disk-Read Only Memory）ドライブ６３と、ハードディスクドライブ６５と、ＲＡＭ６７と、ＲＯＭ６９とを含んで構成される。
【００４３】
フレキシブルディスクドライブ６１によりフレキシブルディスクＦに記録されたプログラムなどのデータを読取ることが可能であり、ＣＤ−ＲＯＭドライブ６３によりＣＤ−ＲＯＭ６１３ａに記録されたプログラムなどのデータを読取ることが可能である。
【００４４】
図５は、ユーザＰＣ５において、本実施の形態にかかる再操作処理を行なうための機能構成の具体例を示すブロック図である。図５に示される機能構成は、主にＣＰＵ５１がＲＯＭ６９などに記憶されるプログラムを実行することでＣＰＵ５１に形成される機能であるが、一部が図４に示される他のハードウェア構成によって形成されてもよい。
【００４５】
図５を参照して、ユーザＰＣ５において再操作処理を行なうための機能は、画像形成装置１から上述のジョブの完了の通知を受信する完了通知受信部３０１と、通知をユーザに提示する完了通知提示部３０５と、受信した通知を解析する完了通知解析部３０３と、ユーザからの指示を入力する指示入力部３０７と、画像形成装置１に対して指示を出力する指示出力部３０９とを含んで構成される。
【００４６】
完了通知受信部３０１は、上記画像形成装置１の完了通知部１０７から出力された上述のジョブの完了の通知をネットワーク７を介して受信し、完了通知解析部３０３および完了通知提示部３０５に入力する。完了通知解析部３０３は通知を解析して画像形成装置１において対象のジョブを特定するためのＩＤを取得し、指示出力部３０９に入力する。
【００４７】
完了通知提示部３０５はディスプレイ５５で通知を表示してユーザに提示するための処理や、（図示されない）音声出力装置で通知を音声提示するための処理など、上記通知をユーザに提示するための処理を行なう。
【００４８】
指示入力部３０７は、上記提示に基づいて入力装置５９の操作などによる指示を受取り、指示出力部３０９に入力する。
【００４９】
指示出力部３０９は、指示入力部３０７から入力された指示と、完了通知解析部３０３から入力されたジョブのＩＤとに基づいて、そのジョブに対する再処理を画像形成装置１に対して指示する。
【００５０】
図６は、画像形成装置１で実行される再操作処理を示すフローチャートである。図６のフローチャートに示される処理は、画像形成装置１においてユーザＰＣ５から送られてきた印刷ジョブを実行し、ジョブに含まれる画像データを出力する動作（ジョブの実行）が完了すると開始する処理であって、画像形成装置１のＣＰＵ１１において記憶部１３に記憶されるプログラムを読出して実行することによって実現される。ここで、「ジョブの完了」とは、ユーザＰＣ５から送られてきたジョブの実行がすべて終了している状態を指すものとする。なお、画像データを出力する動作の種類としては、印刷やファクシミリ送信やメール送信や保存（自身の不揮発性メモリであるＨＤや他の装置のＨＤに保存）などが挙げられるが、ここでは印刷であるものとして以降の説明を行なう。ファクシミリ送信等の他の動作であっても同様である。
【００５１】
図６を参照して、始めに、ジョブ管理部１０３において、印刷動作の対象となったジョブ、つまり実行が完了したジョブに対して画像形成装置１において当該ジョブを特定するための保存用のＩＤを付与する（ステップＳ１０１）。ステップＳ１０１でＩＤが付与されたそのジョブには、印刷された画像データと、印刷条件などのジョブ条件とが含まれる。ジョブ管理部１０３はこのジョブをジョブ保存部１０５に保存する（ステップＳ１０３）。なお、本実施の形態では、印刷動作の完了後に上記ステップＳ１０１でＩＤを付与しているが、上記ステップＳ１０１でＩＤが付与された後または上記ステップＳ１０３で保存された後に印刷動作が完了するようにしてもよい。
【００５２】
次に、完了通知部１０７において、ユーザＰＣ５に対してジョブの保存用ＩＤと共に印刷の完了が通知される（ステップＳ１０５）。ここで、印刷の完了の通知とは、ジョブの実行が完了したことをユーザに知らせるための情報（データ）であり、具体的には、ジョブの実行が完了したことを示す情報の他に、後述する図９に示すように、画像データの文書名に関する情報や、画像形成装置１自身の識別情報または装置名に関する情報などが、データとしてユーザＰＣ５へ送信される。なお、この他に、印刷が完了した時間情報のデータなどが送信されてもよいことはいうまでもない。ところで、この完了の通知と共に、ユーザＰＣ５に対して当該ジョブに対する再処理を指示する手段が提示される。再処理を指示する手段としては、後に具体例として再処理を指示するためのボタンが挙げられているが、ボタンに限定されず、再処理を指示するための操作方法を示す画面や、再処理を指示するための画面を表示するための操作方法を示す画面など、その他のものであってもよい。さらに、画面やボタンそのものの情報をユーザＰＣ５へ提示（送信）するのではなく、画面やボタンをユーザＰＣ５で表示させるための情報（コマンドなど）をユーザＰＣ５へ送信してもよいことはいうまでもない。
【００５３】
なお、ここでの通知先は当該ジョブを送信してきたユーザＰＣ５であるものとするが、その他の通知先として、予め設定された通知先などであってもよく、記憶部１３にジョブと通知先との対応関係が記憶されている場合には、ステップＳ１０５ではその対応に基づいた通知先を特定して通知してもよい。
【００５４】
次に、印刷完了の通知に応じてユーザＰＣ５から指示が送信されてくるのを待機し、指示入力部１０１において指示を受信すると（ステップＳ１０９でＹＥＳ）、ジョブ管理部１０３においてその内容が解析される（ステップＳ１１１）。その結果、そのジョブに対する操作を終了する指示である場合（ステップＳ１１３でＹＥＳ）、ジョブ管理部１０３はユーザＰＣ５からの指示に含まれるＩＤで特定されるジョブをジョブ保存部１０５から取出して破棄し（ステップＳ１１７）、一連の処理を終了する。
【００５５】
ユーザＰＣ５からの指示が終了指示でない場合（ステップＳ１１３でＮＯ）、ジョブ管理部１０３はユーザＰＣ５からの指示に含まれるＩＤで特定されるジョブをジョブ保存部１０５から取出してその指示に従った再処理を実行する（ステップＳ１１５）。その処理が完了すると、同様に完了通知部１０７においてユーザＰＣ５に完了が通知されて指示を待機する（ステップＳ１０５）。なお、この場合、ジョブ管理部１０３は、上記ステップＳ１１５で指示に従って再処理したジョブに対して新たにＩＤを付与してその指示内容と共に保存し、上記ステップＳ１０１で元のジョブに対して付与されたＩＤや上記ステップＳ１０３で保存されたジョブを破棄するようにしてもよい。または、すでに付与されたＩＤや保存されたジョブをそのまま利用してもよいし、変更部分がある場合はその部分を変更して利用してもよい。
【００５６】
ユーザＰＣ５からの指示を待機している間にジョブをジョブ保存部１０５に保存する一定期間が経過した場合には（ステップＳ１０７でＹＥＳ）、ジョブ管理部１０３は該当するジョブをジョブ保存部１０５から取出して破棄し（ステップＳ１１７）、一連の処理を終了する。
【００５７】
上述のジョブを保存する一定期間は、当該ジョブに対する最初の印刷指示の際に、その指示を行なったユーザが設定するようにしてもよい。または、予め設定されているものであってもよいし、画像形成システムの管理者等特定のユーザが設定や変更が可能であってもよい。
【００５８】
なお、画像形成装置１において上記処理が実行されている間、すなわち実行が完了したジョブがジョブ保存部１０５に保存されている間に、他のジョブを処理することができるものとする。つまり、実行が完了したジョブを第１ジョブ、および他のジョブを第２ジョブとすると、第１ジョブの実行が完了して第１ジョブについて上記処理が実行され、第１ジョブがジョブ保存部１０５に保存されている間に、第２ジョブを処理することができる。言い換えると、第１ジョブにかかる上記処理は、ＣＰＵ１１において第２ジョブにかかる他の処理と並列して実行される。
【００５９】
また、上記ステップＳ１１５での再処理にかかる第１ジョブは、現在実行中の第２ジョブの次に投入されてもよいし、実行中の第２ジョブに割込んで実行されてもよい。また、現在実行中の第２ジョブの他にも待機中の第３ジョブおよび第４ジョブがある場合は、待機中の第３ジョブおよび第４ジョブ（キュー）の最後に投入されてもよい。また、ジョブの内容や実行者などの属性に応じて各ジョブ（第１ジョブ〜第４ジョブ）に自動的に優先順位が割振られている場合、第１ジョブは、待機中の第２ジョブ〜第４ジョブに対して、各ジョブに割振られている優先順位に応じた位置に自動的に投入されてもよい。さらに、第１ジョブが投入される位置、つまり第１ジョブを再度実行（再出力）させるタイミングについては、第１ジョブの実行者であるユーザによって設定可能であってもよいし、当該画像形成システムの管理者等の特定のユーザによって設定可能であってもよい。設定が許可されているユーザであるか否かは、ログイン情報と予め登録された許可ユーザの情報とを比較して認証を行なうことで判定することができる。なお、上記第１ジョブを再度実行（再出力）させるタイミングの指示は、上述のようにジョブを投入する位置を指定する方法の他、実行させる時刻を指定する方法でなされてもよい。上記再処理にかかる第１ジョブのタイミングの指示については、以降の各実施の形態についても同様である。
【００６０】
図７は、ユーザＰＣ５で実行される再操作処理を示すフローチャートである。図７のフローチャートに示される処理は、ユーザＰＣ５において画像形成装置１から印刷動作の完了が通知されると開始する処理であって、ユーザＰＣ５のＣＰＵ５１においてＲＯＭ６９等に記憶されるプログラムを読出して実行することによって実現される。
【００６１】
図７を参照して、始めに完了通知解析部３０３において完了通知が解析される（ステップＳ２０１）。また、完了通知提示部３０５において、完了通知をディスプレイ５５で表示するための処理がなされて、ディスプレイ５５で表示される（ステップＳ２０３）。
【００６２】
そして、ディスプレイでの表示に基づいて指示入力部３０７より操作の終了以外の指示が入力されると（ステップＳ２０７でＹＥＳ、かつＳ２０９でＮＯ）、その指示に基づいて、再処理が画像形成装置１に対して指示されて（ステップＳ２１１）、一連の処理を終了する。
【００６３】
指示入力部３０７より操作の終了の指示が入力された場合（ステップＳ２０７でＹＥＳ、かつＳ２０９でＹＥＳ）、またはディスプレイ５５に完了通知を表示してから所定時間指示の入力がない場合（ステップＳ２０５でＹＥＳ）、操作の終了が画像形成装置１に対して指示されて（ステップＳ２１３）、一連の処理を終了する。
【００６４】
［第１の実施の形態］
第１の実施の形態にかかる画像形成システムでは、画像形成装置１に対して先の動作と同じ動作をさせるための再操作処理が実行される。
【００６５】
図８は、第１の実施の形態にかかる画像形成システムでの処理の流れを示す図である。
図８を参照して、始めに、ユーザＰＣ５から画像形成装置１に対して印刷の対象となる画像データと印刷条件とを有する印刷データ（印刷ジョブ）が送信されて（ステップＳ１）画像形成装置１において印刷が実行されると（ステップＳ３）、画像形成装置１において上記ステップＳ１０５の処理が実行されて、画像形成装置１からユーザＰＣ５に対して印刷完了が通知される（ステップＳ５）。また、上記ステップＳ１０１，Ｓ１０３の処理が実行されてそのジョブに保存用ＩＤが付与され、ジョブ保存部１０５に保存される（ステップＳ７）。
【００６６】
ユーザＰＣ５ではステップＳ５の完了通知を受けて、上記ステップＳ２０３の処理が実行されてディスプレイ５５に処理の完了を通知する画面が表示される（ステップＳ９）。
【００６７】
図９はステップＳ９でディスプレイ５５に表示される印刷完了通知画面の具体例を示す図である。図９に示されるように、印刷完了通知画面は、印刷動作が完了したことを通知する領域と、印刷完了を指示するためのボタンおよび再印刷を指示するためのボタンを表示する領域とを含み、この画面に基づいて印刷完了の指示および／または再印刷の指示を受付ける。
【００６８】
なお、図９は印刷完了通知画面の一例であり、印刷完了を通知する画面および再処理を指示する画面は図９に示される画面に限定されない。たとえば、印刷完了通知画面に印刷完了を指示するためのボタンおよび再印刷を指示するためのボタンを表示する領域が含まれず、印刷完了通知画面に対して次画面ボタンを押すなどの所定の操作を行なうことで印刷完了を指示するためのボタンおよび再印刷を指示するためのボタンを表示する領域を含む画面に切替ってもよい。また、上述のように再印刷を指示するための手段としてはボタンに限定されず、再印刷を指示するための操作方法を示す画面等、その他のものであってもよい。さらに、印刷完了通知画面に、印刷結果がプレビュー表示され、そこで印刷結果を確認できるようにしてもよい。
【００６９】
印刷完了通知画面において再印刷を指示するためのボタンが押されて再印刷が指示されると、ユーザＰＣ５において上記ステップＳ２１１の処理が実行されて、ユーザＰＣ５から画像形成装置１に再印刷が指示される（ステップＳ１１）。再印刷の指示を受けた画像形成装置１では上記ステップＳ１１５において指示に応じた処理が実行される。
【００７０】
図１０は、第１の実施の形態にかかる画像形成装置１においてステップＳ１１５で実行される再処理の内容を示すフローチャートである。
【００７１】
図１０を参照して、ユーザＰＣ５から再印刷の指示を受取ると、ジョブ管理部１０３はその指示より再処理の対象となるジョブを特定するＩＤを取得し（ステップＳ３０１）、ジョブ保存部１０５からそのＩＤで特定されるジョブに含まれる画像データと、そのジョブにおいて画像データと対応付けて記憶されている印刷条件とを読出す（ステップＳ３０３、Ｓ３０５）。そして、プリンタ部２１で印刷動作を実行させるためのプリンタエンジンに画像データと印刷条件とを渡す（ステップＳ３０７）。
【００７２】
画像形成装置１で以上の処理が実行されることで、ステップＳ１１でユーザＰＣ５から受取った再印刷指示にしたがって、上記ステップＳ３での印刷と同様の印刷条件で同じ印刷データ（画像データ）が印刷され（ステップＳ１３）、ステップＳ５と同様に印刷の完了がユーザＰＣ５に通知される（ステップＳ１５）。
【００７３】
印刷完了通知画面において印刷完了を指示するためのボタンが押されて終了が指示されると、ユーザＰＣ５において上記ステップＳ２１３の処理が実行されて、ユーザＰＣ５から画像形成装置１に印刷の終了が指示される（ステップＳ１９）。印刷終了の指示を受けた画像形成装置１では上記ステップＳ１１７の処理が実行されて、ステップＳ７でジョブ保存部１０５に保存されたジョブが破棄される（ステップＳ２１）。
【００７４】
第１の実施の形態にかかる画像形成システムにおいて上記処理が実行されることで、画像形成装置において印刷等の動作が行なわれた後に、簡単な操作で再度同じ動作をさせることができる。
【００７５】
［第２の実施の形態］
第２の実施の形態にかかる画像形成システムでは、画像形成装置１に対して先の動作の設定と異なる設定で同じ動作をさせるための再操作処理が実行される。
【００７６】
図１１は、第２の実施の形態にかかる画像形成システムでの処理の流れを示す図である。
【００７７】
図１１を参照して、始めに、ユーザＰＣ５から画像形成装置１に対して画像データと印刷条件とを有する印刷データ（印刷ジョブ）が送信されて（ステップＳ１）画像形成装置１において印刷が実行されると（ステップＳ３）、画像形成装置１において上記ステップＳ１０５の処理が実行されて、画像形成装置１からユーザＰＣ５に対して印刷完了が通知される（ステップＳ５）。また、上記ステップＳ１０１，Ｓ１０３の処理が実行されてそのジョブに保存用ＩＤが付与され、ジョブ保存部１０５に保存される（ステップＳ７）。
【００７８】
ユーザＰＣ５ではステップＳ５の完了通知を受けて、上記ステップＳ２０３の処理が実行されてディスプレイ５５に完了を通知する画面が表示される（ステップＳ９）。
【００７９】
ステップＳ９で表示される印刷完了通知画面は、先に図９に示されたものと同様のものであるが、第２の実施の形態にかかる画像形成システムにおいては、図９に示された印刷完了通知画面において再印刷を指示するためのボタンを押すと、印刷条件を先の印刷時から変更するための画面が表示される。
【００８０】
図１２はステップＳ９でディスプレイ５５に表示される印刷条件変更画面の具体例を示す図である。変更できる印刷条件としては、具体的には、図１２に示されるように、両面印刷または片面印刷、１枚の印刷用紙に印刷するページ数（いわゆるＮｉｎ１の設定）、印刷部数、およびカラー印刷またはグレースケール印刷等が挙げられる。その他、フィニッシング処理の変更などが行なわれてもよい。
【００８１】
なお、変更できる印刷条件としては、上記ステップＳ１で印刷データ送信前に設定可能な印刷条件のすべてをその対象としてもよい。しかしながら、上記ステップＳ７で実際に保存されたジョブによっては、変更された印刷条件では印刷できない場合や、高解像度へ変更するなど変更された印刷条件では印刷品質が著しく劣る場合などがある。そのため、変更可能な印刷条件（さらには、その設定値）は制限されることが好ましい。変更可能な印刷条件は、画像形成装置１側またはユーザＰＣ５側のいずれで決定されてもよい。画像形成装置１側で変更可能な印刷条件を決定する場合は、画像形成装置１は変更可能な印刷条件を変更可能情報として印刷完了通知と同時にユーザＰＣ５へ送信する。または、画像形成装置１は、ユーザＰＣ５から印刷完了通知画面にある再印刷を指示するためのボタンが押されたことによる再印刷の指示を受取ると、上記変更可能情報をユーザＰＣ５に送信する。
【００８２】
印刷完了通知画面において再印刷を指示するためのボタンが押されて再印刷が指示され、さらに印刷条件の変更が入力されると、ユーザＰＣ５において上記ステップＳ２１１の処理が実行されて、ユーザＰＣ５から画像形成装置１に印刷条件の変更の指示と共に再印刷が指示される（ステップＳ１０）。印刷条件の変更の指示および再印刷の指示を受けた画像形成装置１では上記ステップＳ１１５において指示に応じた処理が実行される。
【００８３】
図１３は、第２の実施の形態にかかる画像形成装置１においてステップＳ１１５で実行される再処理の内容を示すフローチャートである。
【００８４】
図１３を参照して、ユーザＰＣ５から印刷条件の変更の指示と再印刷の指示とを受取ると、ジョブ管理部１０３はその指示より再処理の対象となるジョブを特定するＩＤと変更された印刷条件とを取得し（ステップＳ４０１）、ジョブ保存部１０５からそのＩＤで特定されるジョブに含まれる画像データと、そのジョブにおいて画像データと対応付けて記憶されている印刷条件とを読出す（ステップＳ３０３、Ｓ３０５）。そして、ジョブ管理部１０３は上記指示に基づいて印刷条件を変更し（ステップＳ４０６）、プリンタ部２１で印刷動作を実行させるためのプリンタエンジンに画像データと変更された印刷条件とを渡す（ステップＳ３０７）。
【００８５】
画像形成装置１で以上の処理が実行されることで、ステップＳ１１でユーザＰＣ５から受取った再印刷指示にしたがって、上記ステップＳ３での印刷から変更された印刷条件にて同じ印刷データ（画像データ）が印刷され（ステップＳ１３）、ステップＳ５と同様に印刷の完了がユーザＰＣ５に通知される（ステップＳ１５）。
【００８６】
印刷完了通知画面において印刷完了を指示するためのボタンが押されて終了が指示されると、ユーザＰＣ５において上記ステップＳ２１３の処理が実行されて、ユーザＰＣ５から画像形成装置１に印刷の終了が指示される（ステップＳ１９）。印刷終了の指示を受けた画像形成装置１では上記ステップＳ１１７の処理が実行されて、ステップＳ７でジョブ保存部１０５に保存されたジョブが破棄される（ステップＳ２１）。
【００８７】
第２の実施の形態にかかる画像形成システムにおいて上記処理が実行されることで、画像形成装置において印刷等の動作が行なわれた後に、簡単な操作で先の動作の条件を変更して同じ動作をさせることができる。
【００８８】
［第３の実施の形態］
第３の実施の形態にかかる画像形成システムでは、画像形成装置１に対して先の動作と同じ画像データに対して先の動作とは異なる動作をさせるための再操作処理が実行される。
【００８９】
第３の実施の形態にかかる画像形成システムでの処理の流れは図１１に示されたものと同様であり、ここでは、上記ステップＳ９で表示される図９に示された印刷完了通知画面において出力形態の変更を指示するためのボタンを押すなどの所定の操作を行なうと、図１４に示されるような、出力形態を先の印刷から他の出力形態に変更するための画面が表示される。図１４は、ステップＳ９でディスプレイ５５に表示される出力形態変更画面の具体例を示す図である。変更できる印刷以外の出力形態としては、具体的には、ユーザＰＣ５やその他サーバなどに設けられるボックスと言われる専用の記憶領域に出力して保存するＢＯＸ出力、ファクシミリ送信、およびメール送信等が挙げられる。
【００９０】
出力形態変更画面において出力形態を指示するためのボタンが押されると、さらに、その出力形態における出力条件を指示する出力条件設定画面が表示される。出力条件には、送信先や保存先等の出力先や、出力部数や、出力するデータ形式や、出力形態に応じた条件（解像度等）などが含まれる。出力条件設定画面は図１２に示された印刷条件変更画面と同様の構成の画面であって、出力条件として出力先を設定するときには、出力形態がＢＯＸ出力である場合には画像形成システム内のボックス一覧を出力先の候補として表示して選択する画面、出力形態がファクシミリ送信である場合には画像形成システム上に登録されているファクシミリ宛先一覧を出力先の候補として表示して選択する画面、出力形態がメール送信である場合には画像形成システム上に登録されているメールアドレス一覧を出力先の候補として表示して選択する画面等が該当する。なお、言うまでもなく、これら出力条件設定画面は、設定可能な出力条件を候補として表示して選択を受付けることなく、設定する出力条件の入力を受付ける画面であってもよい。
【００９１】
なお、出力形態変更画面は第２の実施の形態にかかる画像形成装置１において表示されてもよく、出力形態変更画面において印刷を選択することで上記処理と同様になされてもよい。
【００９２】
印刷完了通知画面において出力形態が変更されると、上記ステップＳ１０ではユーザＰＣ５から画像形成装置１に出力形態を変更した再出力が指示され、画像形成装置１においてステップＳ１１５の再処理が実行される。
【００９３】
図１５は、第３の実施の形態にかかる画像形成装置１においてステップＳ１１５で実行される再処理の内容を示すフローチャートである。
【００９４】
図１５を参照して、ユーザＰＣ５から出力形態を変更する指示を受取ると、ジョブ管理部１０３はその指示より再処理の対象となるジョブを特定するＩＤと変更された出力形態とを取得する（ステップＳ５０１）。さらに、出力形態がＢＯＸ出力である場合には登録されているボックスの情報、出力形態がファクシミリ送信である場合には登録されているファクシミリ宛先情報など、指示された出力形態での出力先である登録情報を取得し、宛先の候補を提示する上述の出力条件設定画面を表示させるためにその情報をユーザＰＣ５に出力する（ステップＳ５０２）。ここでの登録情報の取得先はユーザＰＣ５であってもよいし、画像形成装置１の記憶部１３であってもよいし、画像形成システムに含まれるサーバ等その他の装置であってもよい。また、ユーザＰＣ５で実行されているプログラムによって登録情報がユーザＰＣ５自身または画像形成システムに含まれる画像形成装置１等の装置から取得される場合には、画像形成装置１においてステップＳ５０２の処理は行なわれなくてもよい。
【００９５】
ステップＳ５０２で出力された情報によってユーザＰＣ５には上記出力条件設定画面が表示される。その画面に従ってユーザＰＣ５から出力条件を取得すると（ステップＳ５０３）、ジョブ管理部１０３は、ジョブ保存部１０５から上記ＩＤで特定されるジョブに含まれる画像データと、そのジョブにおいて画像データと対応付けて記憶されている印刷条件とを読出す（ステップＳ３０３、Ｓ３０５）。そして、ジョブ管理部１０３は、ステップＳ５０１，Ｓ５０３でユーザＰＣ５から取得した再出力時の出力形態および出力条件に基づいて、ジョブに含まれるジョブ条件の出力形態およびその出力形態における出力条件を変更し（ステップＳ５０６）、その出力形態で出力するために必要な機能に画像データと出力条件とを渡す（ステップＳ３０７）。
【００９６】
画像形成装置１で以上の処理が実行されることで、ステップＳ１１でユーザＰＣ５から受取った指示にしたがって、上記ステップＳ３での印刷とは異なる出力形態で同じ印刷データ（画像データ）が出力され、ステップＳ１５でその出力の完了がユーザＰＣ５に通知される。
【００９７】
第３の実施の形態にかかる画像形成システムにおいて上記処理が実行されることで、画像形成装置において印刷等の動作が行なわれた後に、簡単な操作で先の動作に用いられた画像データを異なる出力形態にて出力する動作をさせることができる。
【００９８】
［変形例］
上記第１〜第３の実施の形態では、画像形成装置１に対する再処理の指示をユーザＰＣ５から送信するものとしているが、ユーザＰＣ５から送られてきたジョブに対して、画像形成装置１のパネル１７において再操作が指示されてもよい。
【００９９】
図１６は、変形例にかかる画像形成装置１で実行される再操作処理を示すフローチャートである。図１６のフローチャートに示される処理もまた、画像形成装置１において画像形成動作（ここでは具体的に印刷処動作であるものとする）が完了すると開始する処理であって、画像形成装置１のＣＰＵ１１において記憶部１３に記憶されるプログラムを読出して実行することによって実現される。
【０１００】
図１６を参照して、変形例においては、ステップＳ１０５でユーザＰＣ５に対してジョブの保存用ＩＤと共に印刷の完了が通知された後に、パネル１７に表示されている図１７に示されるログイン画面にてログイン入力を受付けるものとする。画像形成装置１の図示されない認証機能において、ログインしたユーザがステップＳ１０３でジョブ保存部１０５に保存したジョブの発行者やそのジョブに対する操作が許可されているユーザであると認証されると（ステップＳ６０９でＹＥＳ）、パネル１７に表示される基本画面に再処理を指示するボタンが表示される（ステップＳ６１１）。図１８は、再処理を指示するボタン（再処理ジョブボタン）が表示された基本画面の具体例を示す図である。
【０１０１】
なお、一般に、ユーザ認証を行なう画像形成装置１においては、初期状態ではパネル１７にログイン画面が表示されている。その画面においてユーザ名およびパスワード等のログイン情報が入力されると、認証機能によりユーザ認証がなされる。ユーザが認証されると、基本画面がパネル１７に表示される。本実施の形態において画像形成装置１はＭＦＰであるので、本実施の形態において基本画面は、図１８に示されるような、コピーの条件設定を行なう画面が該当する。本実施の形態にかかる画像形成装置１では、ＰＣ５からジョブを受信してジョブ保存部１０５に保存されていれば、基本画面に再処理ジョブボタンが表示される。ＰＣ５からジョブを受信していない場合や、ジョブ保存部１０５に保存されたジョブが上記Ｓ１０７において一定期間が経過したと判断されて上記ステップＳ１１７で破棄された場合には、認証機能によりユーザが認証されたとしても、この基本画面に再処理ジョブボタンは表示されない。
【０１０２】
ジョブ管理部１０３はこのボタンが押されたことを検出すると（ステップＳ６１３でＹＥＳ）、ジョブ保存部１０５をログイン情報を用いて検索して、ジョブ条件に含まれているユーザ情報などに基づいてそのユーザが操作を許可されているジョブを抽出し、パネル１７に図１９に示されるような再処理の対象とすることができるジョブの一覧を表示するジョブリスト表示画面を表示して、ユーザからの選択を受付ける（ステップＳ６１４）。
【０１０３】
なお、認証されたユーザが発行したジョブ、またはそのユーザが操作を許可されているジョブが１つしかない場合は、上記ステップＳ６１４はスキップされ、図１９に示されたようなジョブリスト画面を表示して選択を受付ける処理はなされなくてもよい。
【０１０４】
以降、選択されたジョブに対して、上記第１〜第３の実施の形態にかかる再処理（ステップＳ１１５）と同様の処理が行なわれ、そのジョブに含まれる画像データが再出力される。
【０１０５】
すなわち、第１の実施の形態のように、画像データの再出力として、完了したジョブと同じ印刷条件でしか印刷できない場合は、図９に示されたような再印刷可能なジョブを提示または選択し、再処理を指示する画面が表示される。その画面において、ユーザが再印刷ボタンを押下することにより、同じ条件で再処理（再印刷）がなされる。
【０１０６】
また、第２の実施の形態のように、画像データの再出力として、印刷が完了したジョブと異なる印刷条件でジョブに含まれる画像データを再印刷できる場合は、図９に示されたような再印刷可能なジョブを提示または選択する画面が表示されて対象とするジョブが選択された後に、さらに図１２に示されたように印刷条件を設定する画面が表示される。その画面において、ユーザが印刷条件を設定して印刷ボタンを押下することにより、変更された印刷条件で再処理（再印刷）がなされる。
【０１０７】
また、第３の実施の形態のように、画像データの再出力として、実行が完了したジョブとは異なる種類のジョブ（異なる動作）を実行して、ジョブに含まれる画像データを異なる動作で出力することができる場合には、図９に示されたような再印刷可能なジョブを提示または選択する画面が表示されて対象とするジョブが選択された後に、図１４に示されたように出力形態を設定する画面が表示されて出力形態が設定された後に、さらにその出力形態での出力条件を設定する画面が表示される。その画面におい、ユーザが出力条件を設定して出力ボタンを押下するなどの出力を指示する操作を行なうことにより、変更された動作で出力（再処理）がなされる。
【０１０８】
また、この変形例においても、上述の第１〜第３の実施の形態と同様に、ジョブ保存部１０５に保存されている第１のジョブに対する再処理の指示を待機している間、画像形成装置１では他のジョブである第２のジョブが実行されていてもよい。第２のジョブとしては、上記ユーザ認証された第１ユーザ以外の第２ユーザのＰＣから送信されたジョブや、画像形成装置１へのログインした第２ユーザが発行したジョブ（コピーなど）などが該当する。具体的に言えば、この変形例においては、再処理の指示を待機する間とは図１６においてステップＳ１０７〜Ｓ６１３のループ期間が該当する。この期間は、上記第１ジョブに対する再処理の指示の待機と第２ジョブの実行とを並行処理できる。
【０１０９】
変形例にかかる画像形成システムにおいて上記処理が実行されることで、画像形成装置において印刷等の動作が行なわれた後に、画像形成装置からでも簡単な操作で先の動作に用いられた画像データに対する再処理を実行させることができる。
【０１１０】
さらに、上述の画像形成システムにおいて実行される画像処理方法方法を、画像処理プログラムとして提供することもできる。このようなプログラムは、コンピュータに付属するフレキシブルディスク、ＣＤ−ＲＯＭ、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１１１】
なお、本発明にかかる画像処理プログラムは、コンピュータのオペレーションシステム（ＯＳ）の一部として提供されるプログラムモジュールのうち、必要なモジュールを所定の配列で所定のタイミングで呼出して画像処理を実行させるものであってもよい。その場合、プログラム自体には上記モジュールが含まれずＯＳと協働して画像処理が実行される。このようなモジュールを含まないプログラムも、本発明にかかる画像処理プログラムに含まれ得る。
【０１１２】
また、他のプログラムの一部に組込まれて提供されるものであってもよい。その場合にも、プログラム自体には上記他のプログラムに含まれるモジュールが含まれず、他のプログラムと協働して画像処理が実行される。このような他のプログラムに組込まれたプログラムも、本発明にかかる画像処理プログラムに含まれ得る。
【０１１３】
提供されるプログラム製品は、ハードディスクなどのプログラム格納部にインストールされて実行される。なお、プログラム製品は、プログラム自体と、プログラムが記録された記録媒体とを含む。
【０１１４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１５】
【図１】画像形成システムの構成の具体例を示す図である。
【図２】画像形成装置１のハードウェア構成の具体例を示すブロック図である。
【図３】画像形成装置１において再操作処理を行なうための機能構成の具体例を示すブロック図である。
【図４】ユーザＰＣ５のハードウェア構成の具体例を示すブロック図である。
【図５】ユーザＰＣ５において再操作処理を行なうための機能構成の具体例を示すブロック図である。
【図６】画像形成装置１で実行される再操作処理を示すフローチャートである。
【図７】ユーザＰＣ５で実行される再操作処理を示すフローチャートである。
【図８】第１の実施の形態にかかる画像形成システムでの処理の流れを示す図である。
【図９】印刷完了通知画面の具体例を示す図である。
【図１０】第１の実施の形態にかかる画像形成装置１においてステップＳ１１５で実行される再処理の内容を示すフローチャートである。
【図１１】第２の実施の形態にかかる画像形成システムでの処理の流れを示す図である。
【図１２】印刷条件変更画面の具体例を示す図である。
【図１３】第２の実施の形態にかかる画像形成装置１においてステップＳ１１５で実行される再処理の内容を示すフローチャートである。
【図１４】出力形態変更画面の具体例を示す図である。
【図１５】第３の実施の形態にかかる画像形成装置１においてステップＳ１１５で実行される再処理の内容を示すフローチャートである。
【図１６】変形例にかかる画像形成装置１で実行される再操作処理を示すフローチャートである。
【図１７】ログイン画面の具体例を示す図である。
【図１８】基本画面の具体例を示す図である。
【図１９】ジョブリスト表示画面の具体例を示す図である。
【符号の説明】
【０１１６】
１  画像形成装置、５  ユーザＰＣ、７  ネットワーク、１１，５１  ＣＰＵ、１３  記憶部、１５  ＮＩＣ、１７  パネル、１９  イメージリーダ部、２１  プリンタ部、２３  センサ部、５７  ＬＡＮ、６５  ハードディスクドライブ、６７  ＲＡＭ、６９  ＲＯＭ、５５  ディスプレイ、５９  入力装置、６１  フレキシブルディスクドライブ、１０１  指示入力部、１０３  ジョブ管理部、１０５  ジョブ保存部、１０７  完了通知部、３０１  完了通知受信部、３０５  完了通知提示部、３０３  完了通知解析部、３０７  指示入力部、３０９  指示出力部。
【図１】
0004781133.tif 000002
【図２】
0004781133.tif 000003
【図３】
0004781133.tif 000004
【図４】
0004781133.tif 000005
【図５】
0004781133.tif 000006
【図６】
0004781133.tif 000007
【図７】
0004781133.tif 000008
【図８】
0004781133.tif 000009
【図９】
0004781133.tif 000010
【図１０】
0004781133.tif 000011
【図１１】
0004781133.tif 000012
【図１２】
0004781133.tif 000013
【図１３】
0004781133.tif 000014
【図１４】
0004781133.tif 000015
【図１５】
0004781133.tif 000016
【図１６】
0004781133.tif 000017
【図１７】
0004781133.tif 000018
【図１８】
0004781133.tif 000019
【図１９】
0004781133.tif 000020